(57)【要約】【課題】  発電所の取水路などから回収された大量の貝を効率よく殻と身に分離し、殻と身を別々に回収して貝全てを有効利用するのに適切な貝処理方法と貝処理装置の提供。【解決手段】  取水路１の貝３を海水２と共に回収し、水切りした貝３を凍結処理槽４０の液体窒素４１で瞬間凍結させて殻と身に分離しやすく、かつ、破砕しやすくする。凍結した貝３を破砕装置５０のミルで破砕して貝の殻の小片と身の小片にする。破砕した殻と身の小片を分離回収装置６０の水路６１の水中に投入して、水中で比重差による沈降距離の差で殻の小片と身の小片に完全に分離して、それぞれを対応する回収容器７４、７５に回収する。【選択図】図１
2005205293.tif 000002
【特許請求の範囲】
【請求項１】
貝を液体窒素に浸漬して凍結させる工程と、
前記凍結された貝を破砕して殻と身の小片にする工程と、
前記殻の小片と身の小片を水中で比重差により分離し別々に回収する工程と、
を含むことを特徴とする貝処理方法。
【請求項２】
貝を浸漬するための液体窒素を収容する凍結処理槽と、
前記液体窒素に浸漬して凍結させた貝を破砕して殻と身の小片にする破砕装置と、
前記破砕装置で破砕した殻の小片と身の小片を水中で比重差により分離し別々に回収する分離回収装置と、
を具備することを特徴とする貝処理装置。
【請求項３】
多数の貝を収納する網袋をクレーン車のワイヤに吊り下げ、前記凍結処理槽の液体窒素に対する貝の浸漬および凍結処理槽から前記破砕装置への貝の移送を前記クレーン車で行うことを特徴とする請求項２記載の貝処理装置。
【請求項４】
前記分離回収装置が、上流側に前記破砕装置で破砕した貝の殻と身の小片が投入される投入部を有し、下流側に前記殻の小片と身の小片を別々に回収する回収部を有するほぼ水平な水路と、前記投入部よりも下流側の水路内を少なくとも上下２層に区画する隔板とを備え、前記隔板の上層水路が前記身の小片の回収部に接続され、前記隔板の下層水路が前記殻の小片の回収部に接続されていることを特徴とする請求項２または３に記載の貝処理装置。
【発明の詳細な説明】
【技術分野】
【０００１】
本発明は、発電所などの取水路に大量に発生した貝を回収して殻と身に分離する貝処理方法と貝処理装置に関する。
【背景技術】
【０００２】
火力発電所の取水路に大量に発生する海生生物は海綿動物、刺胞動物、扁形動物、紐形動物、環形動物、軟体動物、節足動物、星口動物、棘皮動物、原索動物、脊椎動物など多種多様である。その大半は定期的に排除されて処理場に埋立て処理される。しかし、近年において処理場の逼迫が懸念されると共に、海生生物を産業廃棄物として処理すること自体が難しくなりつつある。海生生物を産業廃棄物でなく仮に一般廃棄物とした場合は、行政側で引き取ってもらえないことも予想され、各発電所毎の対応が迫られているのが現状である。
【０００３】
一方、発電所の取水路に大量に発生する海生生物の大半は二枚貝や巻貝などの貝であり、これら大量の貝を埋立てや焼却処理することは環境保全の点からも難しくなっている。このため、様々な分野で貝を有効利用する試みが行われている。例えば、貝の殻は石灰成分を多く含むためにコンポスト化や土壌改良材、汚泥などの固化剤原料、埋立材、焼却灰として製品販売され、鶏餌の添加材として利用されている。一方、貝の身はコンポスト化が塩分除去の問題があって難しいことから、乾燥させて肥料や飼料として有効利用することが試行されている。例えば、水産養殖用飼料、餌料は、単体の原料の魚粉、イカミール、大豆糟、小麦、ビタミン類、ミネラル類などをそれぞれ大量購入し、攪拌した後にペレット化を行っているが、魚粉やイカミールは安定した生産量＝価格が望めないことから、貝の身の転用、有効利用が望まれている。
【０００４】
このように貝を有効利用するためには、取水路から定期的に回収した大量の貝を殻と身に分離する必要があり、そのための貝処理装置として、取水路から回収した貝をスチームなどで加熱して殻と身を分離しやすくした処理装置がある（例えば、特許文献１参照）。
【特許文献１】特開平１１−５７６１９号公報
【発明の開示】
【発明が解決しようとする課題】
【０００５】
発電所の取水路から回収された大量の貝をスチームなどで加熱処理すると、殻と身の結合が解かれ、又は、殻と身の結合力が低減して殻と身が分離しやすくなる。しかし、大量の貝をスチームなどで殻と身が分離しやすくなる適温まで加熱するのに長時間を要して作業性が悪く、また、加熱により発生する蒸気の悪臭を消臭するなどの二次処理、後処理の問題が多い。また、貝の身は加熱することで変質して、後で有効利用できる肥料や飼料の種類が制限され、特に水産養殖用飼料、餌料の有効利用に問題がある。
【０００６】
本発明の目的とするところは、発電所の取水路などから回収された大量の貝を生産性よく殻と身に分離し、殻と身を別々に回収して有効に利用することのできる貝処理方法と貝処理装置を提供することにある。
【課題を解決するための手段】
【０００７】
上記目的を達成するため、本発明方法は、（１）貝を液体窒素に浸漬して凍結させる工程と、（２）凍結した貝を破砕して殻と身の小片にする工程と、（３）破砕した殻の小片と身の小片を水中で比重差により分離し別々に回収する工程とを含むことを特徴とする。
【０００８】
ここで、貝は石灰成分の殻を有する海生生物、淡水生物であり、発電所の取水路からポンプなどで回収された貝、漁港や水産加工場などに有効利用すべく保管された貝である。
【０００９】
（１）の工程において、取水路などから回収された多数の貝を水切りした状態で液体窒素（約−１９６℃）に浸漬し、貝に液体窒素を浸透させて瞬間凍結させる。貝の殻と身に液体窒素を浸透させると、殻と水分を含んだ身の凝固率の違いから凝固率の大きい身が殻から離れる特性があり、この特性を利用して貝が殻と身に分離しやすくなる低温まで凍結してから、凍結した貝を液体窒素から引き上げる。この場合の貝浸漬時間は１〜３分程度で、好ましくは２分程度である。また、多数の貝を少数ずつ液体窒素に連続的に浸漬させ、液体窒素から少数ずつを連続的に引き上げるようにすることもできる。
【００１０】
（２）の工程において、液体窒素から引き上げた凍結貝をローラミルなどの破砕機で破砕する。凍結した貝は、殻と身の凝固率の違いから殻と身が分離しやすくなっていると共に、殻も身も細かく破砕しやすくなっている。この凍結貝を破砕するまでに長時間大気中に曝すと、貝温度が上昇して殻と身が分離しにくくなるので、液体窒素から引き上げてできるだけ短時間で、好ましくは数分以内に破砕する。この破砕で凍結貝の殻が細かく破砕され、凍結した身も細かく破砕されて、結果的に殻と身の小片に分離され、殻の小片と凍った身の小片が混在した状態で破砕機から排出される。
【００１１】
（３）の工程において、混在した殻の小片と身の小片を海水または淡水の水中に投入する。貝の殻は身より比重が大きく、殻の小片と身の小片を水中に投入すると水中を殻の小片が沈降しやすく、身の小片が沈降しにくい。この両者の比重差による水中での沈降速度の差で殻の小片と身の小片が明確に分離される。殻と身の小片の分離は、凍った身の部分が水分を吸収するまで殻との比重差が最も大きいために、水中に投入した初期段階でより顕著に行われる。水中を上部と下部に分けると、下部に殻の小片が集まり、上部に身の小片が集まる。このような殻と身の上下分離は海水中で行う方が、淡水中で行うより顕著である。水中で殻と身の分離が十分に行われた段階で、水中上部の身の小片と水中下部の殻の小片を水流などを利用して別々の回収容器などに回収し、殻と身を別々の有効利用設備に搬出する。
【００１２】
また、上記目的を達成するため、本発明装置は、貝を浸漬するための液体窒素を収容する凍結処理槽と、液体窒素に浸漬して凍結させた貝を破砕して殻と身の小片にする破砕装置と、破砕装置で破砕された殻の小片と身の小片を水中で比重差により分離し別々に回収する分離回収装置を具備することを特徴とする。
【００１３】
ここでの凍結処理槽は、据置タンクや移動式車両搭載タンクなどの高耐圧タンクで、多数の貝を同時に浸漬できる量の液体窒素を収容する。貝を浸漬しない平常時は、液体窒素の表面を蓋などで密封して液体窒素が大気中の酸素と置換しないようにし、貝を浸漬するときは液体窒素表面を大気開放してタンク内の圧力が急激に上昇しないようにする。破砕装置は凍結貝を加圧して破断するローラミルなどの破砕機を備え、凍結処理槽の近くに設置され、凍結処理槽内の液体窒素から引き上げた多数の凍結貝を連続して破砕する。凍結貝をローラミルなどで加圧することで、殻を小片に破砕すると同時に、凍結した身も小片に破砕して、殻と身をほぼ完全に分離する。分離回収装置は、破砕装置から供給された凍結貝の殻と身の小片を比重差で分離する大量の水を定方向に流す長大水路や、大量の水を収容する大型水槽を備える。凍結貝を破砕した殻と身の小片は水中で沈降し、その沈降速度が比重の大きな殻の小片の方が大きいことから、殻と身の沈降速度に差が生じて殻と身の小片が水中で上下に分離し、この分離した状態で水中から外部に回収される。
【００１４】
また、本発明装置においては、多数の貝を収納する網袋をクレーン車のワイヤに吊り下げ、凍結処理槽の液体窒素に対する貝の浸漬と、凍結処理槽から破砕装置への貝の移送をクレーン車で行うことができる。
【００１５】
ここでの網袋は、クレーン車のブーム先端からワイヤで吊り下げられる有底袋状の魚網、金網が適用できる。網袋の底は、ロープなどで引き絞って開閉自在な開閉底にしておくとよい。この網袋の開閉底を閉じた状態で網袋の底部に取水路などから水と共に回収された定量多数の貝が供給されると、この網袋をクレーン車が空中に引き上げ、貝の水切りが行われる。クレーン車は無人車とすることができる。貝を収納した網袋を凍結処理槽の上方まで移動させて下降させ、液体窒素に浸漬する。また、クレーン車は液体窒素から凍結貝収納の網袋を引き上げて破砕装置まで移動させ、網袋の開閉底を開いて凍結貝を破砕装置に供給する。このような無人クレーン車の駆動を遠隔操作することで、作業を連続して行うことができる。
【００１６】
また、本発明装置においては、分離回収装置が、上流側に破砕装置で破砕した貝の殻と身の小片が投入される投入部を有し、下流側に殻の小片と身の小片を別々に回収する回収部を有するほぼ水平な水路と、投入部よりも下流側の水路内を少なくとも上下２層に区画する隔板とを備え、隔板の上層にある水路が身の小片の身専用回収部に接続され、隔板の下層にある水路が殻の小片の殻専用回収部に接続される構造とすることができる。
【００１７】
ここでの水路は、海水又は淡水を略水平な一方向に流す適宜な長さの直線又は湾曲水路である。水路の上流側に接続された投入部は、破砕装置の真下にあって破砕装置から落下する破砕された貝の殻と身の小片が水中へと投入される部所で、この投入部のある水路の水中より下流側に隔板が設けられる。投入部の水中に投入されたに殻と身の小片は、水中を沈降しながら水流に乗って下流に流れ、その間に殻と身の小片が沈降距離の差で分離し、ある程度分離したところで隔板のある領域に達する。隔板は水路を上下複層に区画する１枚又は複数枚の略水平な薄板で、水路における隔板の枚数、高さ位置を適宜に設定することで、隔板の上層水路を流れる身の小片が下層水路を流れる殻の小片に混流するのが阻止される。隔板の上層水路を流れる身の小片が上層水路の下流端に接続された身専用回収部に回収され、隔板の下層水路を流れる殻の小片が下層水路の下流端又は下層水路の途中箇所の底に接続された殻専用回収部に回収される。殻と身の小片のそれぞれの回収は、専用の回収容器や回収シュート、ベルトコンベアを使用して行えばよい。各回収部に別々に回収した殻の小片と身の小片は、加熱処理されていないので、殻の小片は土壌改良剤などに有効利用でき、身の小片は水産養殖用飼料、餌料などに問題なく有効利用できる。このように回収貝の全てを有効利用することで、廃棄物処理費の削減や、二酸化炭素発生抑制が可能となる。
【００１８】
また、水路で貝の殻や身の小片を分離させた水は、水路の下流端から取水路などの元の場所に戻すようにして、元の場所と水路との間を循環させるようにすればよい。例えば、凍結処理槽に浸漬する貝が、発電所の取水路から海水と共に回収した貝の場合、回収貝から水切りした海水を分離回収装置の水路に流し、水路を出た海水を元の取水路に戻す海水循環システムが採用できる。このシステムの場合、海水で大量の貝の殻と身の分離ができると共に、水路の海水中で貝の身が浮きやすくなって殻との沈降距離差が淡水の場合よりも大きく現れ、貝の殻と身の小片の水中での分離が明確、確実にできるようになる。また、水路の下流端から水を水路の上流端に戻して、水路に同じ水（海水、淡水）を循環させるようにしてもよく、この場合、取水路から貝と共に回収した海水を取水路に戻す。
【発明の効果】
【００１９】
本発明によれば、発電所の取水路などから回収された多数の貝を液体窒素で瞬間凍結して貝を殻と身に分離しやすく、殻も身も破砕しやすくしてから、凍結貝を破砕機などで破砕し、破砕した凍結状態の殻の小片と身の小片を水中で分離させるようにしたので、多数の貝を加熱することなく、効果的に殻と身の小片に分離し、別々に回収することができる優れた効果がある。また、貝の殻と身が確実に分離され、別々に回収できるので、回収した殻に身が混じる、或いは、回収した身に殻が混じる不具合の発生が低減でき、殻と身のそれぞれの有効利用が可能となる。これにより大量の回収貝や廃棄貝の全てを有効利用することができて、廃棄物処理費の低減や地球環境保全に優れた効果がある。
【００２０】
また、本発明は、貝の殻と身を加熱処理することなく分離して別々に回収するため、特に貝の身が変質せず自然状態が保持されて、水産養殖用飼料、餌料への有効利用が容易となり、水産養殖用飼料、餌料の生産量安定化、価格の低減を図る効果がある。
【発明を実施するための最良の形態】
【００２１】
以下、本発明の実施の形態を図１及び図２を参照して説明する。
【００２２】
図１は、発電所の取水路１に設置した貝処理装置１０を示す。この貝処理装置１０は、取水路１の海水２の底に堆積した貝３を回収して殻と身に分離し、別々に回収する。取水路１の貝３は、岸壁や取水フィルタなどから定期的に掻き落とされた二枚貝、巻貝などである。貝処理装置１０は、海底に投入された回収ポンプ（水中ポンプ）１１で海水２や砂と共に岸壁上へと回収された貝３から海水２や砂を分離するトロンメル槽２０と、トロンメル槽２０で水切りされた多数の貝３を保持して他の場所へと無人で移送する移送装置３０と、移送装置３０で保持された貝３が適宜に浸漬される液体窒素４１を収容する凍結処理槽４０と、凍結処理された貝３を殻と身に細かく破砕する破砕装置５０と、破砕装置５０で破砕された貝の殻と身を水中で分離して別々に回収する分離回収装置６０を備える。
【００２３】
トロンメル槽２０は、地面上に支柱２１で水平に設置され、海底の回収ポンプ１１と回収ホース１２で連接される。トロンメル槽２０は、内部に海水をろ過するトロンメル２１を有する筐体で、底部に送水ホース２２が連接される。回収ポンプ１１で海底の貝３と共に海水２をトロンメル槽２０まで揚水すると、トロンメル槽２０に流入した海水２と貝３はトロンメル２１で貝３が篩にかけられ、海水２がトロンメル２１を通過して送水ホース２２を通り、分離回収装置６０の水路６１の上流端に流入する。トロンメル２１で篩をかけられた貝３は排出シュート２３から受渡し台２４上に供出される。
【００２４】
移送装置３０は、多数の貝３を収納する網袋３１と、網袋３１を吊り下げて上下左右に移動させる無人のクレーン車３２を有する。クレーン車３２の伸縮式ブーム３３に吊り下げたワイヤ３４の下端に網袋３１が連結される。網袋３１は開閉底３１ａを有し、ロープの引き絞りで閉じた開閉底３１ａ上に多数の貝３を収容する。クレーン車３２は、網袋３１を受渡し台２４→凍結処理装置４０→破砕装置５０→受渡し台２４の順に移動させる。
【００２５】
凍結処理槽４０は、多数の貝３を一度に浸漬可能な量の液体窒素４１を収容する耐圧タンクで、図１には車両搭載タンクが示されるが、これに限定されるものではない。凍結処理槽４０の上端開口には図示しない蓋が設置され、液体窒素４１を貝浸漬に使用しない平常時は蓋を閉じて大気中の酸素との置換を抑制し、貝浸漬時には蓋を開いて液体窒素が気化したときのタンク内の圧力上昇を抑制するようにしてある。
【００２６】
破砕装置５０は、地面に立設した支柱５１に破砕機５２を取付けて構成される。破砕機５２はミルで、上方から連続して供給された多数の貝を少数ずつ順に加圧して破砕する。破砕した貝の殻と身は破砕機５２の下端部５３から自然落下する。この下端部５３の真下に分離回収装置６０の水路６１の上流側端部が設置される。
【００２７】
分離回収装置６０の水路６１は、地面に立設した支柱６５にほぼ水平に支持された幅狭横長の長大水槽で、上流側端部にトロンメル槽２０からの送水ホース２２が配管され、送水ホース２２から海水２が水路６１を図１で左から右に流れる。水路６１の下流側端部の底に循環ホース６３が連接され、水路６１の下流端まで流れた海水２が循環ホース６３を通って取水路１に戻される。水路６１の上流側端部に破砕機５２から貝の殻と身が投入される投入部７０が接続され、水路６１の下流側に水路６１内で分離された貝の殻と身を別々に回収する回収部７１、７２が接続される。水路６１には海水２がほぼ満水状態で流れ、この水路６１の投入部７０より下流側の水中に海水２の流れとほぼ平行な隔板６２が設置される。隔板６２は水中を上部と下部の２層に区画する仕切りで、図２に示すように、水路６１の下流側が隔板６２より下の下層水路６１ａと、隔板６２より上の上層水路６１ｂに区画される。下層水路６１ａの底の途中箇所に殻専用回収部７２が接続され、上層水路６１ｂの下流端に身専用回収部７１が接続される。一方の回収部７２には殻専用回収容器７５が設置され、他方の回収部７１には身専用回収シュート７３と回収容器７４が設置される。
【００２８】
図１の貝処理装置１０は、図２に示す過程で貝処理を行う。図２は、貝３と破砕した殻と身の小片の模式図を示し、白抜きしたものが破砕された貝の殻ａの小片を示し、黒塗りしたものが貝の身ｂの小片を示す。図２を参照して貝処理装置１０の貝処理動作を説明する。
【００２９】
定期的に回収ポンプ１１を作動させて取水路１から海水２と共に貝３をトロンメル槽２０に回収する。この貝回収動作に前後させてクレーン車３２で網袋３１を受渡し台２４に移動させる。トロンメル槽２０から水切りした貝３を受渡し台２４の網袋３１に供給し、同時に送水ホース２２から海水２を分離回収装置６０の水路６１に送出する。網袋３１に所定量の貝３が供給されると、クレーン車３２で網袋３１を貝３と共に引き上げ、凍結処理槽４０の真上に移動させ、ワイヤ３４を繰出して網袋３１の底部を液体窒素４１に浸漬して貝３に液体窒素を浸透させる。この貝浸漬時間は、一度に浸漬される貝の量にもよるが、１〜３分程度である。この浸漬時間が経過すると、クレーン車３２で網袋３１を液体窒素４１から速やかに引き上げ、破砕装置５０の上方まで移送して、網袋３１の開閉底３１ａを自動又は手動で開き、凍結した貝３を破砕機５２へと落下させる。網袋３１が空になると、クレーン車３２で網袋３１を受渡し台２４へと移送し、次の貝の供給に待機させる。クレーン車３２は、以上の各動作を繰り返し行う。
【００３０】
破砕装置５０の破砕機５２は、凍結された貝３が供給されると、これを連続的に加圧して破砕する。凍結貝は殻も身も凍結しているので、加圧することで殻ａの小片と身ｂの小片に破砕され、この破砕で殻ａと身ｂがほぼ確実に分離し、殻ａと身ｂの小片が混在した状態で水路６１の投入部７０から水路６１上流の海水中に落下する。
【００３１】
水路６１の上流側端上部に水入口６４を設け、送水ホース２２からの海水２を水入口６４から水路６１に満水状態で流す。上流側の海水中に落下した殻ａと身ｂの小片は比重差によって殻ａがより速く沈降し、身ｂはより遅く沈降しながら海水２と共に隔板６２のある下流へと流れる。海水２と共に流れる間に、比重の大きな殻ａの小片の沈降距離と比重の小さな身ｂの小片の沈降距離の差が大きくなり、隔板６２のところまで流れると、殻ａの小片が隔板６２の下の下層水路６１ａに入り、身ｂの小片が隔板６２の上の上層水路６１ｂに入り、そのまま各水路６１ａ、６１ｂを流れる。各水路６１ａ、６１ｂは隔板６２で区画されているので、上層水路６１ｂの身ｂの小片が沈降しようとしても隔板６２で阻止されて下層水路６１ａの殻ａに混じることはない。また、下層水路６１ａの殻ａの小片は沈降して下層水路６１ａの底を流れる。
【００３２】
水路６１の下流側まで流れた殻ａと身ｂの小片は、それぞれの回収部７１、７２へと回収される。殻ａの小片は下層水路６１ａの底に沿って流れ、この流れの途中で回収容器７５へと落下して回収される。身ｂの小片は上層水路６１ｂを下流端まで流れて、回収シュート７３から回収容器７４に落下して回収される。
【００３３】
次に、上記貝処理装置１０を使った実験例を説明する。
【００３４】
［実験例１］適量のムラサキガイとフジツボを凍結処理槽４０の液体窒素４１に１分間浸漬し、引き上げてすぐにミルで破砕したところ、各貝は殻と身に完全に分離した。また、貝を液体窒素４１から引き上げて、凍結貝を１分間大気中に曝してからミルで破砕すると、ほとんどが殻と身に分離したが、僅かに殻に極小さな身が付着したのが見受けられた。このことから凍結貝を空気中に曝す時間を考慮して、液体窒素に貝を浸漬する時間は１〜３分程度が好適であり、２分程度が最も効率的である。
【００３５】
［実験例２］凍結貝をミルで破砕した殻の小片と身の小片を、水位３７ｃｍの水中で沈降させたところ、殻の小片は４秒以内で完全に沈降し、身の小片で大きさが１ｃｍのものは１５秒以上浮き、１ｃｍより小さいものは８秒で沈降した。このように殻の小片と身の小片の水中での沈降速度に大きな差があり、この差は淡水より塩分３％の海水の方が顕著で、分離回収装置６０の水路６１で確実な殻と身の分離ができた。
【００３６】
［実験例３］水路６１の上流端部に設ける水入口６４の高さを、水路上流端部で上下３段階に分けて実験した結果、図２に示すように水入口６４を水路上流端部の最上部に設けた場合に隔板６２の上層水路６１ｂにほぼ全ての身ｂの小片が流れて最適であり、水入口６４の高さを低くするほど身ｂの小片が下層水路６１ａに流れ込む量が少しずつではあるが見られた。また、隔板６２は図２に示すように１枚が好適であるが、水入口６４から水路６１に供給する水の流速、分離する貝の量によって隔板６１の長さ、枚数、取付位置を変更することも有効である。
【００３７】
なお、本発明の貝処理装置は、上記した実施の形態に限定されるものではなく、本発明の要旨を逸脱しない範囲内において種々変更を加え得ることは勿論である。
【図面の簡単な説明】
【００３８】
【図１】本発明の貝処理装置の実施の形態を示す一部断面を含む側面図である。
【図２】図１の貝処理装置の貝処理過程を模式的に示す側面図である。
【符号の説明】
【００３９】
１    取水路
２    海水
３    貝
１０    貝処理装置
１１    回収ポンプ
２０    トロンメル槽
２２    送水ホース
３０    移送装置
３１    網袋
３１ａ    開閉底
３２    クレーン車
３３    ブーム
３４    ワイヤ
４０    凍結処理槽
４１    液体窒素
５０    破砕装置
５２    破砕機
６０    分離回収装置
６１    水路
６１ａ    下層水路
６１ｂ    上層水路
６２    隔板
６３    循環ホース
７０    投入部
７１    （貝の身の）回収部
７２    （貝の殻の）回収部
７４    回収容器
７５    回収容器
【図１】
2005205293.tif 000003
【図２】
2005205293.tif 000004